(57)【要約】【課題】開閉扉枠を開けた状態での作業中に仕切板又は球止め板といった重要な部材を破損させる恐れがなく安心して作業を行なうことができ、また、遊技盤の拡大化に伴う球受皿の下方への配置も比較的容易に行なえる遊技機を提供する。【解決手段】遊技盤４が配設される本体枠２の裏側に球払出装置３０からの遊技球を導く球排出通路樋３１を設け、その下端部下面３１ａに球出口３３を開設し、開閉扉枠８の裏面に球受皿９と連通し後方へ延出する球受通路樋１７を設け、その後部上面に開閉扉枠８を閉めたとき遊技盤４の裏側で球出口３３と合致する球受口１８を開設し、球出口３３には、該球出口３３に沿って自在に可動すると共に付勢部材３９により常に該球出口３３を塞ぐように付勢され、かつ、開閉扉枠８を開けたとき付勢部材３９の付勢により球出口３３を閉塞し開閉扉枠８を閉めたとき付勢部材３９の付勢に抗し可動して球出口３３を開放するシャッター板３７を配置した。【選択図】図５
2008125747.tif 000002
【特許請求の範囲】
【請求項１】
遊技盤が配設される本体枠の前面に開閉扉枠が開閉自在に装着されると共に該開閉扉枠の前面に該本体枠の裏側に配設された球払出装置から払い出される遊技球を貯留する球受皿が装着される遊技機であって、
前記本体枠の裏側に前記球払出装置からの遊技球を導く球排出通路樋を設け、前記球排出通路樋の下端部下面に球出口を開設し、前記開閉扉枠の裏面に前記球受皿の球貯留部と連通すると共に後方へ延出する球受通路樋を設け、前記球受通路樋の後部上面に前記開閉扉枠を閉めたとき前記遊技盤の裏側で前記球出口と合致して連通する球受口を開設し、前記球出口には、前記球出口に沿って自在に可動すると共に付勢部材により常に該球出口を塞ぐように付勢され、かつ、前記開閉扉枠を開けたとき前記付勢部材の付勢により前記球出口を閉塞し前記開閉扉枠を閉めたとき前記付勢部材の付勢に抗し可動して前記球出口を開放するシャッター板を配置したことを特徴とする遊技機。
【発明の詳細な説明】
【技術分野】
【０００１】
本発明は、球払出装置から払い出された遊技球が貯留される球受皿を装着してなる前面板等の開閉扉枠を開けたとき、球受皿に供給される遊技球が零れないようにした遊技機に関するものである。
【背景技術】
【０００２】
従来、例えば遊技機の一種であるパチンコ遊技機は、方形枠状の機枠の前面に遊技盤を配設した本体枠が開閉自在に装着され、その前面に開閉扉枠が同じく開閉自在に装着されている。該開閉扉枠の前面には、本体枠の裏側に配置された球払出装置から払い出される遊技球を球排出樋を介して貯留する球受皿が装着される。そして、遊技中に遊技盤面や打球発射部でトラブルが発生した場合は、開閉扉枠を開けてそのトラブルに対処するようにしている。
【０００３】
ところで、球受皿更には球排出樋にまで遊技球が一杯に充満した状態で開閉扉枠を開けると、本体枠の前面で球排出樋の流下端に設けられた開口部と球受皿とが分離し該開口部が開放したままになり、球排出樋内の遊技球がそこからパチンコ遊技機の外に零れ落ちてしまい、遊技者に不利益を与える結果となる。よって、開閉扉枠を開けたときには、球排出樋の流下端に設けられた開口部が閉塞されるようにして球零れを防止している。
【０００４】
例えば、特許文献１に示すパチンコ遊技機のように、本体枠の前面で球排出樋の流下端に設けられた開口部に球零れ防止機構を設けるようにしている。該球零れ防止機構は、自在に回動する仕切板と該仕切板を常に起立させ前記開口部を塞ぐ位置に付勢させるバネとから構成される。そして、開閉扉枠を閉じているときは、仕切板が傾倒し開口部を開放して球受皿と連通し該球受皿に遊技球を供給する。一方、開閉扉枠を開けたときは、仕切板をバネの付勢によって起立させて開口部を塞ぐことにより、該開口から遊技球が零れるのを防止している。
【０００５】
また、特許文献２に示すパチンコ遊技機のように、本体枠の前面で球排出樋の流下端に設けられた開口部に球止め板を傾動自在に装着するようにしている。該球止め板は、付勢手段により常に前記開口部を塞ぐ起立位置に付勢されており、開閉扉枠を閉じているときは球止め板が傾倒し開口部を開放して球受皿と連通し該球受皿に遊技球を供給する。一方、開閉扉枠を開けたときは、球止め板を付勢手段の付勢により起立させ開口部を塞ぐことにより、該開口部から遊技球が零れるのを防止している。更に詳しくは、特許文献２の図４に示されるように、遊技球は球排出樋の横出口から保持枠の球出口及び支持板の球通入具を介して球受皿に排出される。
【０００６】
【特許文献１】特開２００１−２７６３８０号公報（第１１−１２頁段落００６２−００６３、図７−図１０）
【特許文献２】実公平６−３０２２２号公報（第３−４頁、図２−図５）
【発明の開示】
【発明が解決しようとする課題】
【０００７】
しかしながら、前記特許文献１及び特許文献２のパチンコ遊技機にあっては、球零れ防止機構の仕切板又は球止め板が本体枠の前面に露出し、この状態で前後方向へ回動するように軸装されている。このため、パチンコ遊技機内のトラブルを解消するべく開閉扉枠を開いてその作業を行なっている間に、工具が不用意に仕切板又は球止め板に当りこれら仕切板又は球止め板を破損させてしまうといった危険性が有り、安心して作業が行なえないという課題があった。
【０００８】
また、特に特許文献２にあっては、その図４に示されるように球排出樋の横出口と球出口との間、球出口と開閉扉枠の球通入具との間の繋ぎ目に、遊技球が下流側に向けて確実に流下していくようにそれぞれ下側に下がる段差を設けるようにしている。このように通路の繋ぎ目に段差を設けるということは、その分球受皿が下方へ下がることになるが、球受皿の流下端側に打球発射部が位置しその位置関係との均衡も考慮する必要があることから、球受皿を自由に下げるわけにはいかない。遊技盤が拡大化傾向にある近年では、球受皿を下方へ下げなくてはならない必然性に迫られているが、厳しい状況である。
【０００９】
そこで、本発明は前記課題に鑑みてなされたもので、開閉扉枠を開けた状態での作業中に仕切板又は球止め板といった重要な部材を破損させる恐れがなく安心して作業を行なうことができ、また、遊技盤の拡大化に伴う球受皿の下方への配置も比較的容易に行なえる遊技機を提供することを目的とするものである。
【課題を解決するための手段】
【００１０】
かかる目的を達成するため本発明の遊技機は、遊技盤が配設される本体枠の前面に開閉扉枠が開閉自在に装着されると共に該開閉扉枠の前面に該本体枠の裏側に配設された球払出装置から払い出される遊技球を貯留する球受皿が装着される遊技機であって、前記本体枠の裏側に前記球払出装置からの遊技球を導く球排出通路樋を設け、前記球排出通路樋の下端部下面に球出口を開設し、前記開閉扉枠の裏面に前記球受皿の球貯留部と連通すると共に後方へ延出する球受通路樋を設け、前記球受通路樋の後部上面に前記開閉扉枠を閉めたとき前記遊技盤の裏側で前記球出口と合致して連通する球受口を開設し、前記球出口には、前記球出口に沿って自在に可動すると共に付勢部材により常に該球出口を塞ぐように付勢され、かつ、前記開閉扉枠を開けたとき前記付勢部材の付勢により前記球出口を閉塞し前記開閉扉枠を閉めたとき前記付勢部材の付勢に抗し可動して前記球出口を開放するシャッター板を配置したことを特徴とする。
【発明の効果】
【００１１】
本発明に係る遊技機は、本体枠の裏側に設けられた球排出通路樋の球出口と開閉扉枠の裏面に設けられた球受通路樋の球受口とを開閉扉枠を閉めたとき遊技盤の裏側で合致して連通するようにし、しかも、球出口に開閉扉枠の開閉動作に伴い該球出口を開閉するシャッター板を配置してなり、シャッター板は本体枠の裏側に配置されることになる。よって、本体枠の前面に従来のような仕切板や球止め板といった重要な部材が露出することがなく、開閉扉枠を開けた状態での作業が安心して行なえる。また、球排出通路樋の球出口と球受通路樋の球受口とが上下で合致し、球受通路樋と球排出通路樋とが遊技盤の裏側で接続されることになるので、従来のように通路の繋ぎ目の段差をなくすことができ、これにより遊技盤の拡大化に伴う球受皿の下方への配置も比較的容易に行なえるという効果がある。
【発明を実施するための最良の形態】
【００１２】
以下、本発明に係る遊技機の実施の形態を図面に基づき詳しく説明する。本発明は、パチンコ遊技機、アレンジボール機、雀球機、パロット（登録商標）機等の遊技機に適用できるが、この内、本発明はパチンコ遊技機に適用される場合について説明する。図１は本発明が適用されるパチンコ遊技機の正面図、図２は同透明板保持枠及び前面板を開いたパチンコ遊技機の表面斜視図、図３は同パチンコ遊技機の裏面斜視図である。
【００１３】
パチンコ遊技機Ｐは縦長長方形枠状の外枠１を有し、該外枠１の前面に本体枠２が一側を軸着して開閉自在に装着される。該本体枠２は中央に窓口３が開設されて額縁状に成形され、該窓口３に臨むようにして遊技盤４が着脱自在に配設される。本体枠２の前面一側に、遊技盤４の前面を覆う開閉扉枠としての透明板保持枠５が開閉自在に装着される。該透明板保持枠５には前記遊技盤４の前面が臨む開口６が開設され、該開口６にガラスまたは合成樹脂製の透明板７が装着されている。また、透明板保持枠５の下方に、開閉扉枠としての前面板８が同じく開閉自在に装着されている。該前面板８の前面に、本体枠２の裏側に配置された後記する球払出装置３０から払い出される遊技球を貯留すると共に本体枠２の下部前面に設けられた打球発射部１０へ供給する球受皿９が装着される。
【００１４】
前記遊技盤４の前面に内側のガイドレール１２ａと外側のガイドレール１２ｂとが渦巻状に敷設され、これら内・外側のガイドレール１２ａ，１２ｂに囲まれて遊技部４ａが成形される。該遊技部４ａには、例えばその中央上部に各種の情報を変動表示する表示部１３ａを備えた可変表示装置１３が装着され、その下方に遊技球としての打球が入賞することにより前記可変表示装置１３の表示部１３ａの情報を変動させる始動入賞口１４が装着される。更に、その下方に前記表示部１３ａの表示が特定の情報（例えば、「７，７，７」）に揃ったとき開閉扉１５ａを開き、一定の条件の下で一度に多くの賞球が得られる大型の入賞装置１５が装着されている。本体枠２の前面下部の一側には、打球発射部１０から遊技盤４の遊技部４ａに打ち込まれる遊技球の打球力を調整するための打球力調整ハンドル１１が設けられる。
【００１５】
前面板８についてもう少し詳しく説明する。図５に示すように、前面板８の軸支部側に球受皿９の球貯留部９ａと連通する払出口１６が開設される。また、前面板８の裏面に、払出口１６を介して球貯留部９ａと連通する球受通路樋１７が後方へ延設されている。該球受通路樋１７の後部上面１７ａはほぼ水平面になっており、該後部上面１７ａに方形状の球受口１８が開設される。球受通路樋１７の内底面は、払出口１６に向かって下傾すると共に途中で前側が低くなる段部１９が設けられている。そして、球受口１８から球受通路樋１７内に流入した遊技球は、その底面に沿って前方へ流下し払出口１６から球受皿９の球貯留部９ａに貯留されることになる。後部上面１７ａの球受口１８の外周縁に沿って、前側と一側とにＬ型に連続し該球受口１８を囲う突条２０が突設されている。また、前面板８の上縁に、前方へ屈曲する断面コ字型の不正防止溝２１が設けられる。通常、前面板８を閉めてから本体枠２の前面に透明板保持枠５を閉めるようになっており、この際、透明板保持枠５の裏面の下縁５ａが不正防止溝２１に前側から嵌るようになっている。
【００１６】
本体枠２の下部前面に、軸支部側に位置すると共に前記球受通路樋１７に対応して前面板８を閉めたとき該球受通路樋１７の後部が介入する凹窪み部２２が形成される。該凹窪み部２２は上面が開口しており、該凹窪み部２２に介入した球受通路樋１７の後部の球受口１８は、遊技盤４の裏側で後記する球排出通路樋３１の下端部下面３１ａの球出口３３に合致して連通するようになっている。
【００１７】
本体枠２の裏面には、図３に示すようにその上部にパチンコ遊技機Ｐに供給される遊技球を貯留する球タンク２７が配置され、その下方に該球タンク２７から排出される遊技球を一側の斜め下方へ導くタンクレール２８が配置される。タンクレール２８の流下端には、屈曲樋２９を介して球払出装置３０が接続される。該球払出装置３０の下方に、該球払出装置３０から払い出される遊技球を下方へ導く球排出通路樋３１が設けられている。球排出通路樋３１は、球払出装置３０からほぼ真下に延びるように成形される。なお、図示は省略するが、本体枠２の裏面に遊技盤４を覆うように合成樹脂製の機構板を装着するときは、該機構板の裏面に前記球タンク２７、タンクレール２８、屈曲樋２９、球払出装置３０等の裏部品が設けられる。
【００１８】
球排出通路樋３１の下端部は、その外側を方形箱枠２４により二重に囲うようにしている。そして、図５に示すように球排出通路樋３１の下端部はややくの字型に屈曲してその部位に溜まり部３２が形成され、その下端部下面３１ａに球出口３３が開設される。溜まり部３２の上部一側に切欠開口３４が開設され、該切欠開口３４の外側であって方形箱枠２４内に下端部で軸着され鉛直面内で揺動すると共に該切欠開口３４を塞ぐ検知板３５が配置される。また、方形箱枠２４内で検知板３５の外側に対向位置してリミットスイッチ３６が配置され、その接触子３６ａが検知板３５の裏面に接触している。そして、検知板３５は球排出通路樋３１側へ傾動するようにその重心が設けられ、常態では接触子３６ａは検知板３５に押されてオン動作するようなことはない。ところが、球払出装置３０から連続して遊技球が払い出され、球排出通路樋３１内に検知板３５部位にまで溜まったとき、その遊技球で検知板３５が押されて外側へ揺動する。これにより、検知板３５が接触子３６ａを押しリミットスイッチ３６がオン動作して球排出通路樋３１内に遊技球が一杯に詰まっていることを知らせるようになっている。
【００１９】
方形箱枠２４内であって球排出通路樋３１の下端部の下方に、球出口３３を開閉するシャッター板３７が配置される。該シャッター板３７は、方形箱枠２４の底面２４ａに起立する突起３８が基端側に串通され、該突起３８を中心とし球出口３３の下面に沿ってほぼ水平面内で自在に可動すなわち回動すると共に突起３８に巻装される付勢部材である捩りコイルバネ３９により常に該球出口３３を塞ぐ方向へ回動するように付勢されている。すなわち、捩りコイルバネ３９の一端は方形箱枠２４の内側面に当接し、他端はシャッター板３７の上面一側に設けられた掛止杆４０に引っ掛けるようにしている。また、シャッター板３７の先端側の一側には下方へ垂下するガイド片４１が設けられ、前面板８を閉めたとき球受通路樋１７の外側面に当接するようになっている。前記シャッター板３７について、可動として回動する場合を説明したが、直線的にスライドして移動する場合も含まれる。
【００２０】
本発明に係るパチンコ遊技機Ｐは上記構成からなり、遊技をしているときは透明板保持枠５と前面板８とは図４乃至図６に示すように共に閉められている。この状態では、前面板８の裏側から後方へ突出する球受通路樋１７の後部が凹窪み部２２内に介入し、ガイド片４１が球受通路樋１７の外側壁により図６矢視方向へ押し退けられてシャッター板３７が捩りコイルバネ３９の付勢に抗し回動して球出口３３を開放する。そして、該球出口３３の真下に球受口１８が位置して合致し連通する。この場合、球受口１８は遊技盤４の裏側で球出口３３と合致し、球受通路樋１７と球排出通路樋３１とが遊技盤４の裏側で接続されることになる。しかも、シャッター板３７は本体枠２の前面に露出することはない。また、球払出装置３０から球排出通路樋３１に払い出される遊技球は、球出口３３及び球受口１８を介して球受通路樋１７に導かれ、更に、払出口１６を介して球受皿９の球貯留部９ａに貯留される。
【００２１】
一方、遊技中に例えば遊技盤４の遊技部４ａ又は打球発射部１０の部位で球詰まり等のトラブルが発生した場合、透明板保持枠５と共に前面板８を開けてそのトラブル解消のための作業を行なうことになる。この際、前面板８を開くと、図７、図８に示すように球受通路樋１７の後部が凹窪み部２２から前側へ抜け出て、これに伴いシャッター板３７がその支持を失い捩りコイルバネ３９の付勢により図８矢視方向へ回動して球出口３３を閉塞する。これにより、球排出通路樋３１内に遊技球が残っていたとしても、これら遊技球はそのまま保持され、球出口３３から落下してパチンコ遊技機Ｐの外側へ零れることはない。なお、遊技球の流れを円滑にするため球受口１８を球出口３３よりもやや大きく成形することが好ましい。
【００２２】
このように本発明は、本体枠２の裏側に設けられた球排出通路樋３１の球出口３３と前面板８の裏面に設けられた球受通路樋１７の球受口１８とを、前面板８を閉めたとき遊技盤４の裏側で合致して連通するようにし、しかも、球出口３３に前面板８の開閉動作に伴い該球出口３３を開閉するシャッター板３７を配置してなる。すなわち、シャッター板３７は本体枠２の裏側に配置されることになる。よって、本体枠２の前面に従来のような仕切板や球止め板といった重要な部材が露出することがなく、前面板８を開けた状態での作業が安心して行なえる。
【００２３】
また、球受口１８は遊技盤４の裏側で球出口３３と合致し、球受通路樋１７と球排出通路樋３１とが遊技盤４の裏側で接続されることになるので、従来のように通路の繋ぎ目の段差をなくすことができ、これにより遊技盤４の拡大化に伴う球受皿９の下方への配置も比較的容易に行なえる。
【００２４】
本発明にあっては、球排出通路樋３１の球出口３３と球受通路樋１７の球受口１８とを前面板８を閉めたとき遊技盤４すなわち本体枠２の裏側で合致して連通するようにしており、しかも球受口１８の外周縁に突条２０を突設するようにしているので、例えば、前側から払出口１６を介して球受通路樋１７内にセル板又はピアノ線といった不正具を侵入させ、遊技盤４の裏側へ這わせて行なう不正行為が防止できる。
【００２５】
また、開閉扉枠として前面板８について説明したが、他に例えば前記前面板８が一体に成形された透明板保持枠にも本発明が適用でき、球払出装置から払い出される遊技球を貯留する上部の球受皿と該上部の球受皿から溢れる遊技球を貯留する下部の球受皿とを備えた下部前面板にも本発明が適用できることは勿論である。
【図面の簡単な説明】
【００２６】
【図１】本発明が適用されるパチンコ遊技機の正面図。
【図２】同第１・第２開閉扉枠を開いたパチンコ遊技機の表面斜視図。
【図３】同パチンコ遊技機の裏面斜視図。
【図４】同パチンコ遊技機の平面断面図。
【図５】同パチンコ遊技機の要部の側面断面図。
【図６】同パチンコ遊技機の要部の平面断面図。
【図７】同パチンコ遊技機の要部の作用を示す側面断面図。
【図８】同パチンコ遊技機の要部の作用を示す平面断面図。
【符号の説明】
【００２７】
２            本体枠
８            第２開閉扉枠（前面板）
９            球受皿
９ａ          球貯留部
１７          球受通路樋
１７ａ        後部上面
１８          球受口
３０          球払出装置
３１          球排出通路樋
３１ａ        下端部下面
３３          球出口
３７          シャッター板
３９          付勢部材（捩りコイルバネ）
Ｐ            遊技機（パチンコ遊技機）
【図１】
2008125747.tif 000003
【図２】
2008125747.tif 000004
【図３】
2008125747.tif 000005
【図４】
2008125747.tif 000006
【図５】
2008125747.tif 000007
【図６】
2008125747.tif 000008
【図７】
2008125747.tif 000009
【図８】
2008125747.tif 000010